(57)【特許請求の範囲】
【請求項１】
入力される画像データに基づき、連続印刷が可能な複数頁を有する連続用紙に対して画像形成を行っている時に、障害が発生した場合には、前記連続用紙をカットして前記画像形成を中断し、前記障害が解消した後に、前記連続用紙への前記画像形成を再開する画像形成装置であって、
前記画像データに基づき、前記連続用紙の紙送りを行い、前記連続用紙に対して前記画像形成を行う画像形成部と、
前記連続用紙をカットするカット部と、
前記画像形成部及び前記カット部を制御する制御部と
を備え、
前記制御部は、
前記障害の発生時に、前記紙送りが可能か否かを判定し、前記紙送りが可能であれば、前記連続用紙のカット箇所の前に、空白頁を第１の空白頁として挿入し、その挿入後に、前記カット部によって前記連続用紙をカットさせ、前記紙送りが不可能であれば、前記第１の空白頁を挿入せずに、前記カット部によって前記連続用紙をカットさせ、
前記障害の解消後に、前記カット箇所の後に、前記連続用紙に前記空白頁を第２の空白頁として挿入し、前記画像形成部によって前記画像形成を再開させる
画像形成装置。
【請求項２】
前記第１の空白頁および前記第２の空白頁のうちの一方または双方は、繋ぎ合わせ位置情報が形成された繋ぎ合わせ頁である
請求項１に記載の画像形成装置。
【請求項３】
前記繋ぎ合わせ位置情報は、固定パターン、一意な番号、一意の記号、又は、一意な文字列である
請求項２に記載の画像形成装置。
【請求項４】
前記制御部は、頁長および繋ぎ合わせデータに基づいて、前記繋ぎ合わせ頁を生成する生成手段を有し、
前記繋ぎ合わせデータは、障害発生時にカットした前記連続用紙を、前記画像形成を再開したときの前記連続用紙に張り合わせる位置を明示するパターンを含む
請求項２または請求項３に記載の画像形成装置。
【請求項５】
前記カット部は、前記障害の発生時に、正常時のカットと区別可能なカット形態で、前記連続用紙をカットする
請求項１から請求項４のいずれか一項に記載の画像形成装置。
【請求項６】
前記カット形態は、斜めカット形状である
請求項５に記載の画像形成装置。
【請求項７】
前記制御部は、
前記障害の発生時に、前記障害の処理を行う障害処理手段と、
前記画像形成の再開を制御する画像形成再開手段と、
前記空白頁を生成する空白頁生成手段と
を有する
請求項１から請求項３のいずれか一項に記載の画像形成装置。
【請求項８】
請求項１から請求項７のいずれか一項に記載の画像形成装置と、
伝送媒体によって通信可能に前記画像形成装置に接続され、前記伝送媒体を介して前記画像データを前記画像形成装置に与える画像処理装置と
を備えた画像形成システム。
【発明の詳細な説明】
【技術分野】
【０００１】
本発明は、画像形成装置及び画像形成システムにおける用紙カット技術に関するものである。
【背景技術】
【０００２】
従来、特許文献１等において、連続印刷が可能な複数頁（ページ）を有するラベル用紙等の連続用紙に印刷するための画像形成装置としての印刷装置が知られている。この種の印刷装置では、連続用紙への印刷中に何らかの障害（例えば、紙無し、ジャム（紙詰まり）等）が発生した場合、該当頁にて連続用紙をカット（裁断）して印刷を中断し、障害が解消した後に、用紙の続きから印刷を再開するようになっている。
【先行技術文献】
【特許文献】
【０００３】
【特許文献１】特開２００６−２２４６２０号公報
【発明の概要】
【発明が解決しようとする課題】
【０００４】
しかしながら、従来の画像形成装置としての印刷装置では、印刷の再開のために、障害が解消されて用紙の続きから印刷された後、例えば、カットされた箇所を別工程にて繋ぎ直して１本のロールに巻き直すことがあるが、この時、繋ぎ合わせに必要な用紙の長さが足りずに巻き直せないという課題があった。
【課題を解決するための手段】
【０００５】
本発明の画像形成装置は、入力される画像データに基づき、連続印刷が可能な複数頁を有する連続用紙に対して画像形成を行っている時に、障害が発生した場合には、連続用紙をカットして画像形成を中断し、障害が解消した後に、連続用紙への画像形成を再開する画像形成装置であって、画像形成部と、カット部と、制御部とを備えている。画像形成部は、画像データに基づき、連続用紙の紙送りを行い、連続用紙に対して画像形成を行うものである。カット部は、連続用紙をカットするものである。制御部は、画像形成部及びカット部を制御するものである。制御部は、障害の発生時に、紙送りが可能か否かを判定し、紙送りが可能であれば、連続用紙のカット箇所の前に、空白頁を第１の空白頁として挿入し、その挿入後に、カット部によって連続用紙をカットさせ、紙送りが不可能であれば、第１の空白頁を挿入せずに、カット部によって連続用紙をカットさせ、障害の解消後に、カット箇所の後に、連続用紙に空白頁を第２の空白頁として挿入し、画像形成部によって画像形成を再開させるように構成される。
【０００７】
本発明の画像形成システムは、前記画像形成装置と、伝送媒体によって通信可能に前記画像形成装置に接続され、前記伝送媒体を介して前記画像データを前記画像形成装置に与える画像処理装置と、を備えることを特徴とする。
【発明の効果】
【０００８】
本発明によれば、障害の発生時に、カットする連続用紙に空白頁を挿入するので、障害発生時にカットされた連続用紙におけるカット箇所の繋ぎ合わせに必要な長さを充分確保でき、容易に繋ぎ直すことができる。
【図面の簡単な説明】
【０００９】
【図１】図１は本発明の実施例１における画像形成システムを示す概略の構成図である。
【図２】図２は図１中の印刷制御部３０のシステム構成を示す概略の機能ブロック図である。
【図３】図３はラベル用紙等の連続用紙を示す模式図である。
【図４】図４は連続用紙５０における障害発生時のカット例を示す図である。
【図５】図５は図２の印刷制御部３０の動作を示すフローチャートである。
【図６】図６は本発明の実施例２における印刷制御部のシステム構成を示す概略の機能ブロック図である。
【図７】図７は実施例２の連続用紙５０Ａにおける障害発生時のカット例を示す図である。
【図８】図８は印刷再開時における図６の印刷制御部３０Ａの動作を示すフローチャートである。
【図９】図９は本発明の実施例３における印刷制御部のシステム構成を示す概略の機能ブロック図である。
【図１０】図１０は実施例３の連続用紙５０Ａにおける障害発生時のカット例を示す図である。
【図１１】図１１は図９の印刷制御部３０Ｂの動作を示すフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図１は、本発明の実施例１における画像形成システムを示す概略の構成図である。
【００１２】
この画像形成システムは、入力データに画像処理を施して画像データを出力する画像処理装置１０と、入力された画像データに基づいて連続用紙に画像を形成（印刷）する複数の画像形成装置としての印刷装置２０（＝２０−１〜２０−ｎ）を、を備えている。画像処理装置１０と複数の印刷装置２０とは、ネットワーク等の伝送媒体４０を介して通信可能に接続されている。
【００１３】
画像処理装置１０は、例えば、コンピュータ等で構成されており、装置全体をプログラム制御する中央処理装置（以下「ＣＰＵ」という。）１１と、記憶装置に記憶されたオペレーションシステム（以下「ＯＳ」という。）１２と、外部からデータ等を入力するためのキーボード、マウス等の入力装置１３と、印刷内容や印刷設定を表示する表示装置１４と、を備えている。画像処理装置１０は、更に、印刷装置２０へ送信する画像データを生成するためのプリンタドライバ１５ａが動作するための内部記憶装置１５と、画像データ等を出力する送信部１６と、通信制御データ等を受信する受信部１７と、を備えている。
【００１４】
これらのＣＰＵ１１、ＯＳ１２、入力装置１３、表示装置１４、内部記憶装置１５、送信部１６、及び受信部１７は、内部バス１０ａを介して相互に接続されている。
【００１５】
各印刷装置２０（＝２０−１〜２０−ｎ）は、画像データ等を受信する受信部２１と、通信制御データ等を送信する送信部２２と、印刷装置全体をプログラム制御するＣＰＵ２３と、画像データや各種データを一時的に保存しておくためのランダム・アクセス・メモリ（以下「ＲＡＭ」という。）２４と、プログラム等を格納するためのリード・オンリ・メモリ（以下「ＲＯＭ」という。）２５と、を備えている。ＲＯＭ２５には、画像データを解析して印刷を制御するためのソフトウエアである制御部としての印刷制御部３０が格納されている。
【００１６】
各印刷装置２０には、更に、印刷を実行する画像形成部としての印刷部２６と、連続用紙をカットするカット部２７と、操作ボタン及び表示部等を有し、ユーザが印刷再開等を指示するための操作部２８と、連続用紙の裏側に一定間隔で形成されているマークを読み取って印刷開始位置を検出するためのマーク検出部２９と、を備えている。印刷部２６は、連続用紙を所定位置に搬送する搬送機能、及び、搬送された連続用紙に画像を印刷する印刷機能等を有している。
【００１７】
これらの受信部２１、送信部２２、ＣＰＵ２３、ＲＡＭ２４、ＲＯＭ２５、印刷部２６、カット部２７、操作部２８、及びマーク検出部２９は、内部バス２０ａを介して相互に接続されている。
【００１８】
図２は、図１中の印刷制御部３０のシステム構成を示す概略の機能ブロック図である。
【００１９】
この印刷制御部３０は、印刷中に何らかの障害（例えば、用紙無し、ジャム等）が発生した時に連続用紙に対して適切な障害処理を行うための障害処理手段としての障害処理部３１と、印刷を行わずに頁長分の用紙搬送だけを行う空白頁を生成するための空白頁生成手段としての空白頁生成部３２と、操作部２８から印刷再開を指示された時に印刷部２６を制御して印刷を再開するための画像形成再開手段としての印刷再開部３３と、を有している。
【００２０】
（実施例１の動作）
（１）  図１の画像形成システムの全体の動作
【００２１】
図３は、ラベル用紙等の連続用紙を示す模式図である。
この連続用紙５０には、複数の印刷頁５１（＝５１−１〜５１−４，・・・）が連続して配置されている。連続用紙５０は、印刷方向Ｙに搬送されて各印刷頁５１に画像が印刷されるようになっている。連続用紙５０の例えば裏側には、印刷開始位置を示すためのマーク５３が、一定間隔で刻印されている。
【００２２】
図１の画像形成システムにおいて、画像処理装置１０で生成した画像データを、印刷装置２０（例えば、２０−１）で印刷する場合の動作を説明する。
【００２３】
ユーザは、画像処理装置１０を操作して、ＣＰＵ１１の制御により、入力データに対して画像処理を施し、画像データを生成させる。生成された画像データには、印刷装置２０−１のアドレスが付され、送信部１６から伝送媒体４０へ送信される。
【００２４】
印刷装置２０−１は、ＣＰＵ２３の制御により、自己宛のアドレスが付された画像データを受信部２１にて受信し、ＲＡＭ２４に保存する。印刷制御部３０は、ＲＡＭ２４に保存された画像データを解析し、ページ記述言語（ＰＤＬ）等に変換して印刷部２６へ与える。印刷部２６は、図３の連続用紙５０を所定の位置へ搬送し、マーク検出部２９で読み取られたマーク５３の検出位置に基づいて、印刷頁５１−１の印刷開始位置を決定し、画像データの印刷を行う。同様にして、印刷部２６は、次の印刷頁５１−２，５１−３，・・・へ順に印刷していく。一連の印刷が終わると、印刷制御部３０で制御されるカット部２７が、印刷された最後の印刷頁５１の下端をカットし、印刷動作を終了する。
【００２５】
（２）  印刷装置２０−１中の図２の印刷制御部３０の動作
図４（ａ）、（ｂ）は、連続用紙５０における障害発生時のカット例を示す図であり、同図（ａ）は比較例のカット例、及び、同図（ｂ）は実施例１のカット例を示す図である。
【００２６】
図４（ａ）の比較例に示す連続用紙５０では、例えば、印刷頁５１−２の印刷中に障害が発生すると（障害発生時）、その印刷頁５１−２の下端のカット箇所Ｘにおいて、印刷方向Ｙと直交する方向にカットされる。印刷再開時には、次の印刷頁５１−３から印刷されるようになっている。
【００２７】
これに対し、図４（ｂ）の実施例１に示す連続用紙５０では、例えば、印刷頁５１−２の印刷中に障害が発生すると（障害発生時）、空白頁５２（例えば、第１の空白頁５２−１）が挿入され、その空白頁５２−１の下端のカット箇所Ｘにおいて、印刷方向Ｙと直交する方向にカットされる。印刷再開時には、空白頁５２（例えば、第２の空白頁５２−２）が挿入され、次の印刷頁５１−３から印刷されるようになっている。
【００２８】
図５（ａ）、（ｂ）は、図２の印刷制御部３０の動作を示すフローチャートであり、同図（ａ）は障害発生時のフローチャート、及び、同図（ｂ）は、印刷再開時のフローチャートである。
【００２９】
図５（ａ）のフローチャートにおいて、連続用紙５０の印刷中に印刷を継続できない何らかの障害（例えば、用紙無しやジャム）が発生すると、ステップＳ１において、印刷部２６より障害発生が障害処理部３１へ通知され、ステップＳ２へ進む。ステップＳ２において、障害処理部３１は、発生した障害から、印刷部２６で紙送りが可能か否かを判定し、可能であれば（Ｙ）、ステップＳ３へ進み、不可能であれば（Ｎ）、ステップＳ４へ進む。
【００３０】
ステップＳ３において、空白頁生成部３２は、障害処理部３１からの動作指示に従い、図４（ｂ）に示すように、空白頁５２−１を生成し、ステップＳ４へ進む。ステップＳ４において、障害処理部３１は、カット部２７に対して連続用紙５０のカットを指示する。これにより、カット部２７は、図４（ｂ）の障害発生時で示すように、連続用紙５０に空白頁５２−１を挿入し、この空白頁５２−１の下端のカット箇所Ｘにおいて、印刷方向Ｙと直交する方向にカットし、障害発生処理を終了する。
【００３１】
次に、障害が解消され、ユーザが図１中の操作部２８にて印刷再開を指示した時の動作を、図５（ｂ）のフローチャートを参照しつつ説明する。
【００３２】
図５（ｂ）のフローチャートにおいて、印刷再開の動作が開始されると、ステップＳ１１において、空白頁生成部３２は、印刷再開部３３からの動作指示に従い、図４（ｂ）に示す空白頁５２−２を生成し、ステップＳ１２へ進む。ステップＳ１２において、印刷再開部３３は、障害発生時に中断された未完了の印刷頁５１−３から印刷実行を開始するよう印刷部２６へ指示する。これにより、印刷部２６は、図４（ｂ）の印刷再開時で示すように、連続用紙５０に空白頁５２−２を挿入してから、次の印刷頁５１−３の印刷を再開し、印刷再開動作を終了する。
【００３３】
（実施例１の効果）
本実施例１によれば、障害発生時に、空白頁５２−１を連続用紙５０に挿入してカットし、印刷再開時にも、先頭に空白頁５２−２を挿入して印刷するよう構成している。これにより、障害発生時にカットされたカット箇所Ｘの繋ぎ合わせに必要な長さを充分確保でき、容易に繋ぎ直すことができる。
【実施例２】
【００３４】
（実施例２の構成）
図６は、本発明の実施例２における印刷制御部のシステム構成を示す概略の機能ブロック図であり、実施例１の印刷制御部３０を示す図２中の要素と共通の要素には共通の符号が付されている。
【００３５】
本実施例２の印刷制御部３０Ａでは、実施例１の空白頁生成部３２及び印刷再開部３３に代えて、これとは機能が異なる空白頁生成手段としての空白頁生成部３２Ａと、画像形成再開手段としての印刷再開部３３Ａと、が設けられ、更に、繋ぎ合わせ頁を生成する生成手段としての貼り合わせ頁生成部３４が、新たに追加されている。空白頁生成部３２Ａは、障害処理部３１の指示に従い、印刷を行わずに頁長分の用紙搬送だけを行って空白頁を生成する機能を有している。印刷再開部３３Ａは、印刷再開時に貼り合わせ頁生成部３４を使用する機能を有している。貼り合わせ頁生成部３４は、図１中のＲＡＭ２４に記憶された頁長２４ａと、繋ぎ合わせデータとしての貼り合わせデータ２４ｂと、を参照し、繋ぎ合わせ位置情報としての固定パターンＰを有する繋ぎ合わせ頁としての貼り合わせ頁５４を生成する機能を有している。
その他の構成は、実施例１と同様である。
【００３６】
（実施例２の印刷制御部の動作）
図７は、実施例２の連続用紙５０Ａにおける障害発生時のカット例を示す図であり、実施例１の連続用紙５０を示す図４中の要素と共通の要素には共通の符号が付されている。
【００３７】
本実施例２の連続用紙５０Ａでは、図４（ｂ）の連続用紙５０と同様に、複数の印刷頁５１（＝５１−１〜５１−４，・・・）が連続して配置されている。連続用紙５０Ａの例えば裏側には、図４中のマーク５３に代えて、印刷開始位置を示すための帯状のブラックマークからなるマーク５３Ａが、一定間隔で印刷されている。例えば、印刷頁５１−２の印刷中に障害が発生すると（障害発生時）、第１の空白頁５２−１が挿入され、この空白頁５２−１の下端のカット箇所Ｘにおいて、印刷方向Ｙと直交する方向にカットされる。印刷再開時には、貼り合わせ頁５４が挿入され、次の印刷頁５１−３から印刷されるようになっている。
【００３８】
貼り合わせ頁５４において、頁長２４ａの長さ（即ち、１頁の長さ）はＬであり、貼り合わせデータ２４ｂは、障害発生時にカットした連続用紙５０Ａを印刷再開時の用紙に貼り合わせる位置を明示するための固定パターンＰの形で印刷されている。
【００３９】
図８（ａ）、（ｂ）は、図６の印刷制御部３０Ａの動作を示すフローチャートであり、同図（ａ）は障害発生時のフローチャート、及び、同図（ｂ）は、印刷再開時のフローチャートである。
【００４０】
図８（ａ）のフローチャートにおいて、連続用紙５０Ａの印刷中に、障害が発生すると、実施例１と略同様に、ステップＳ２１において、印刷部２６より障害発生が障害処理部３１へ通知され、ステップＳ２２へ進む。ステップＳ２２において、障害処理部３１は、発生した障害から、印刷部２６で紙送りが可能か否かを判定し、可能であれば（Ｙ）、ステップＳ２３へ進み、不可能であれば（Ｎ）、ステップＳ２４へ進む。
【００４１】
ステップＳ２３において、空白頁生成部３２Ａは、障害処理部３１からの動作指示に従い、図７に示すように、空白頁５２−１を生成し、ステップＳ２４へ進む。ステップＳ２４において、障害処理部３１は、カット部２７に対して連続用紙５０Ａのカットを指示する。これにより、カット部２７は、図７の障害発生時で示すように、連続用紙５０Ａに空白頁５２−１を挿入し、この空白頁５２−１の下端のカット箇所Ｘにおいて、印刷方向Ｙと直交する方向にカットし、障害発生処理を終了する。
【００４２】
次に、障害が解消され、ユーザが図１中の操作部２８にて印刷再開を指示した時の動作を、図８（ｂ）のフローチャートを参照しつつ説明する。
【００４３】
図８（ｂ）のフローチャートにおいて、印刷再開部３３Ａは、操作部２８からの印刷再開の指示に従い、印刷再開の動作を開始し、貼り合わせ頁生成部３４へ動作を指示し、ステップＳ３１へ進む。ステップＳ３１において、貼り合わせ頁生成部３４は、印刷再開部３３Ａからの動作指示に従い、図７に示すような貼り合わせ頁５４を生成する貼り合わせ頁生成処理を行う。
【００４４】
この貼り合わせ頁生成処理は、２つのステップＳ３１−１，Ｓ３１−２により実行される。
【００４５】
先ず、ステップＳ３１−１において、貼り合わせ頁生成部３４は、図１中のＲＡＭ２４に記憶された頁長２４ａ及び貼り合わせデータ２４ｂを読み込んで取得し、次のステップＳ３１−２へ進む。ステップＳ３１−２において、貼り合わせ頁生成部３４は、取得された頁長２４ａ及び貼り合わせデータ２４ｂに基づき、頁長終端に固定パターンＰが配置された貼り合わせ頁５４を生成し、ステップＳ３２へ進む。
【００４６】
ステップＳ３２において、印刷再開部３３Ａは、障害発生時に中断された未完了の印刷頁５１−３から印刷実行を開始するよう印刷部２６に指示する。これにより、印刷部２６は、図７の印刷再開時で例示された貼り合わせ頁５４を挿入してから、次の印刷頁５１−３の印刷を再開し、印刷再開時の動作を終了する。
【００４７】
尚、ユーザが障害発生時の連続用紙５０Ａと印刷再開時の連続用紙５０Ａを貼り合わせる際は、例えば、障害発生時の用紙５０Ａを上から、印刷再開時の連続用紙５０Ａの貼り合わせ位置を示す固定パターンＰに、重ねるものとする。
【００４８】
（実施例２の効果）
本実施例２によれば、印刷再開時に貼り合わせ位置を明示した固定パターンＰを有する貼り合わせ頁５４を挿入して印刷するよう構成している。これにより、例えば、連続用紙５０Ａの表側から、裏面側のマーク５３Ａの位置を確認し辛い場合であっても、貼り合わせ位置（即ち、繋ぎ合わせ位置）を容易に認識でき、正確な位置で連続用紙５０Ａを繋ぎ合わせることができる。
【実施例３】
【００４９】
（実施例３の構成）
図９は、本発明の実施例３における印刷制御部のシステム構成を示す概略の機能ブロック図であり、実施例１、２の印刷制御部３０，３０Ａをそれぞれ示す図２及び図６中の要素と共通の要素には共通の符号が付されている。
【００５０】
本実施例３の画像形成システムでは、図１の印刷装置２０内に設けられるカット部２７及び印刷制御部３０に代えて、これとは構成の異なるカット部２７Ｂと制御部としての印刷制御部３０Ｂとが印刷装置２０内に設けられている。
【００５１】
本実施例３のカット部２７Ｂは、実施例２のように連続用紙５０Ａを真っ直ぐカットするための通常カット処理部２７Ｂ１と、連続用紙５０Ａを斜めにカットするための斜めカット処理部２７Ｂ２と、から構成されている。又、本実施例３の印刷制御部３０Ｂでは、実施例１の障害処理部３１とは機能の異なる障害処理部３１Ｂと、実施例１と同様の空白頁生成部３２及び印刷再開部３３と、を有している。障害処理部３１Ｂは、カット部２７Ｂに対して斜めカットするように指示する構成になっている。
その他の構成は、実施例１と同様である。
【００５２】
（実施例３の印刷制御部の動作）
図１０は、実施例３の連続用紙５０Ａにおける障害発生時のカット例を示す図であり、連続用紙５０Ａを示す図７中の要素と共通の要素には共通の符号が付されている。
【００５３】
図１０に示す連続用紙５０Ａにおいて、例えば、印刷頁５１−２の印刷中に障害が発生すると（障害発生時）、次頁の所望のカット箇所Ｘで、斜めにカットされる。印刷再開時には、第２の空白頁５２−２が挿入され、次の印刷頁５１−３から印刷されるようになっている。
【００５４】
図１１（ａ）、（ｂ）は、図９の印刷制御部３０Ｂの動作を示すフローチャートであり、同図（ａ）は障害発生時のフローチャート、及び、同図（ｂ）は、印刷再開時のフローチャートである。
【００５５】
図１１（ａ）のフローチャートにおいて、例えば、連続用紙５０Ａにおける印刷頁５１−２の印刷中に障害が発生すると、ステップＳ４１において、印刷部２６より障害発生が障害処理部３１Ｂへ通知され、ステップＳ４２へ進む。ステップＳ４２において、障害処理部３１Ｂは、カット部２７Ｂ内の斜めカット処理部２７Ｂ２に対し、斜めカットを指示する。これにより、カット部２７Ｂ内の斜めカット処理部２７Ｂ２は、図１０の障害発生時で示すように、次頁の所望のカット箇所Ｘを斜めにカットし、障害発生処理を終了する。
【００５６】
次に、障害が解消され、ユーザが図１中の操作部２８にて印刷再開を指示した時の動作を、図１１（ｂ）のフローチャートを参照しつつ説明する。
【００５７】
図１１（ｂ）のフローチャートにおいて、印刷再開の動作が開始されると、ステップＳ５１において、空白頁生成部３２は、印刷再開部３３からの動作指示に従い、図１０の連続用紙５０Ａに示す空白頁５２−２を生成し、ステップＳ５２へ進む。ステップＳ５２において、印刷再開部３３は、障害発生時に中断された未完了の印刷頁５１−３から印刷実行を開始するよう印刷部２６へ指示する。これにより、印刷部２６は、図１０の印刷再開時で示すように、連続用紙５０Ａに空白頁５２−２を挿入してから、次の印刷頁５１−３の印刷を再開し、印刷再開動作を終了する。
【００５８】
尚、カット部２７Ｂ内の通常カット処理部２７Ｂ１は、印刷制御部３０Ｂの指示に従い、正常な印刷終了時において、カット箇所Ｘを、印刷方向Ｙと直交する方向にカットする。
【００５９】
（実施例３の効果）
本実施例３によれば、障害発生時に，斜めカット処理部２７Ｂ２によって連続用紙５０Ａを斜めにカットするよう構成したので、正常な印刷終了時のカットか、障害発生によって中断した時のカットかを容易に認識できる。
【００６０】
（実施例１〜３の変形例）
本発明は、上記実施例１〜３に限定されず、種々の利用形態や変形が可能である。この利用形態や変形例としては、例えば、次の（ａ）〜（ｇ）のようなものがある。
【００６１】
（ａ）  実施例１では、障害発生時と印刷再開時のどちらにも空白頁５２−１，５２−２を挿入する例を示したが、どちらか片方でも良い。例えば、図４（ｂ）において、空白頁５２−１のみを挿入する場合、図５中のステップＳ２，Ｓ１１が削除され、印刷再開時に、印刷再開部３３が、マーク検出部２９のマーク検出結果を使用して印刷再開処理を行い、印刷部２６により、次の印刷頁５１−３から印刷される。即ち、印刷再開部３３は、マーク検出部２９にて検出されたマーク５３の位置まで連続用紙５０を送った後、障害処理発生時に中断された未完了の印刷頁５１−３から印刷実行を開始するよう印刷部２６へ指示する。すると、印刷部２６により、次の印刷頁５１−３におけるマーク検出位置から印刷が再開される。
【００６２】
（ｂ）  実施例２の図７では、繋ぎ合わせ位置を示す固定パターンＰを、印刷再開時における貼り合わせ頁５４に印刷する例を示したが、その固定パターンＰを、障害発生時の空白頁５２−１にも印刷し、繋ぎ合わせる用紙同士を容易に認識できるような構成に変更しても良い。この場合は、印刷再開部３３Ａ及び貼り合わせ頁生成部３４により、第１の空白部５２−１に代えて、貼り合わせ頁５４を挿入した後に、連続用紙５０Ａをカットする構成に変更すれば良い。又、繋ぎ合わせ位置情報を示す固定パターンＰは、一意な番号、一意な記号、或いは一意な文字列等に変更しても良い。
【００６３】
（ｃ）  実施例２の図６に示す印刷制御部３０Ａは、他の構成に変更しても良い。例えば、貼り合わせ頁生成部３４を削除し、この貼り合わせ頁生成部３４が有する固定パターンＰ等の繋ぎ合わせ位置情報を生成する機能を、空白頁生成部３２Ａに持たせるような構成に変更しても良い。この場合、空白頁生成部３２Ａは、連続用紙５０Ａに挿入する所望の空白頁に、固定パターンＰ等の繋ぎ合わせ位置情報を形成することになる。
【００６４】
（ｄ）  実施例３では、障害発生時に斜めにカットする例を示したが、正常時のカットと容易に区別できるものであれば、そのカット形態は限定されない。又、カット部２７Ｂを有するカット機能は、実施例１や実施例２に持たせても良い。更に、カット方法によって固定パターンＰを変える（例えば、水平カットの場合は図７中の固定パターンＰと同様に水平な破線パターンを印刷、斜めカットの場合は斜めの破線パターンを印刷する等）ようにしても良い。
【００６５】
（ｅ）  実施例３を示す図１０の連続用紙５０Ａにおいて、印刷頁５１−２の印刷中に障害が発生した場合、空白頁５２−１を挿入した後に連続用紙５０Ａをカットし、印刷再開時に、空白頁５２−２を挿入せずに、印刷動作を再開する構成に変更しても良い。この場合、図９中の印刷再開部３３は、マーク検出部２９にて検出されたマーク５３Ａの位置まで連続用紙５０Ａを送った後、障害処理発生時に中断された未完了の印刷頁５１−３から印刷実行を開始するよう印刷部２６へ指示する構成に変更すれば良い。これにより、次の印刷頁５１−３におけるマーク検出位置から印刷が再開されることになる。
【００６６】
（ｆ）  実施例１〜３の連続用紙５０，５０Ａは、図示以外の他の形態のものを使用しても良い。
【００６７】
（ｇ）  実施例１〜３では、画像形成装置の一例として印刷装置２０について説明したが、本発明は、複写機、ファクシミリ装置、複合機（MultiFunction  Printer/Product/Peripheral；ＭＦＰ）等の他の画像形成装置にも適用が可能である。
【符号の説明】
【００６８】
１０      画像処理装置
２０，２０−１〜２０−ｎ      印刷装置
２４      ＲＡＭ
２４ａ      頁長
２４ｂ      貼り合わせデータ
２６      印刷部
２７，２７Ｂ      カット部
２７Ｂ１      通常カット処理部
２７Ｂ２      斜めカット処理部
２９      マーク検出部
３０，３０Ａ，３０Ｂ      印刷制御部
３１，３１Ｂ      障害処理部
３２，３２Ａ      空白頁生成部
３３，３３Ａ      印刷再開部
３４      貼り合わせ頁生成部
４０      伝送媒体
５０，５０Ａ      連続用紙
５１，５１−１〜５１−４      印刷頁
５２，５２−１，５２−２      空白頁
５３，５３Ａ      マーク
５４      貼り合わせ頁
【図１】
0006445944.tif 000002
【図２】
0006445944.tif 000003
【図３】
0006445944.tif 000004
【図４】
0006445944.tif 000005
【図５】
0006445944.tif 000006
【図６】
0006445944.tif 000007
【図７】
0006445944.tif 000008
【図８】
0006445944.tif 000009
【図９】
0006445944.tif 000010
【図１０】
0006445944.tif 000011
【図１１】
0006445944.tif 000012